(57)【要約】【課題】記憶性液晶を有する表示装置において画面の書き換えをさらに高速化する技術を提供すること。【解決手段】本発明は、画像生成手段により生成されたデータのうちあらかじめ決められた数の行に相当する対象データを、ページ画像記憶手段に記憶されたデータのうち対象データと行の位置が同一である参照データとを比較し、対象データと参照データの同一性を判断する比較手段と、ページ画像記憶手段に記憶されているデータに従ってデータ線にデータ電圧を印加し、ページ画像記憶手段に記憶されているフラグが描画を要することを示す行に対しては記憶性液晶層の配向を変化させるしきい値電圧以上の実効電圧を、ページ画像記憶手段に記憶されているフラグが描画を要しないことを示す行に対してはしきい値電圧以下の電圧を、走査電極に印加する表示駆動手段とを有する情報表示装置を提供する。【選択図】図１
2008122688.tif 000002
【特許請求の範囲】
【請求項１】
記憶性液晶層を含む複数の表示画素を有する表示手段と、
複数ページの画像を含む画像データを記憶するデータ記憶手段と、
前記表示画素の各々の階調値を示すデータと、あらかじめ決められた数の行ごとに、描画の要否を示すフラグを記憶するページ画像記憶手段と、
前記データ記憶手段に記憶された画像データから、前記表示手段の表示画素に対応する１ページの画像のうち少なくとも１行の表示画素の階調値を示すデータを生成する画像生成手段と、
前記画像生成手段により生成されたデータのうちあらかじめ決められた数の行に相当する対象データを、前記ページ画像記憶手段に記憶されたデータのうち前記対象データと行の位置が同一である参照データとを比較し、前記対象データと前記参照データの同一性を判断する比較手段と、
前記比較手段により前記対象データと前記参照データが同一ではないと判断された場合、前記参照データを前記対象データで上書きし、かつ、前記フラグを、描画を要することを示すものに書き換え、前記比較手段により前記対象データと前記参照データが同一であると判断された場合、前記フラグを、描画を要しないことを示すものに書き換える記憶制御手段と、
前記ページ画像記憶手段に記憶されているデータに従ってデータ線にデータ電圧を印加し、前記フラグが描画を要することを示す行に対しては前記記憶性液晶層の配向を変化させる電圧より大きい実効電圧を、前記フラグが描画を要しないことを示す行に対しては前記記憶性液晶層の配向を変化させる電圧より小さい実効電圧を、走査電極に印加する表示駆動手段と
を有する情報表示装置。
【請求項２】
前記比較手段が、予め決められた一致率により前記対象データと前記参照データが同一であるかを判断することを特徴とする請求項１に記載の情報表示装置。
【請求項３】
対象データとデータとの一致率の値を入力する入力手段を有し、
前記比較手段が、前記入力手段により入力された一致率を用いて同一性の判断を行うことを特徴とする請求項２に記載の情報表示装置。
【請求項４】
前記比較手段が、前記ページ画像記憶手段に記憶されたデータのうち、あらかじめ決められた行のデータに対してのみ比較を行うことを特徴とする請求項１に記載の情報表示装置。
【請求項５】
記憶性液晶層を含む複数の表示画素を有する表示手段と、複数ページの画像を含む画像データを記憶するデータ記憶手段と、前記表示画素の各々の階調値を示すデータと、あらかじめ決められた数の行ごとに、描画の要否を示すフラグを記憶するページ画像記憶手段とを有する情報表示装置における前記表示手段の駆動方法であって、
前記データ記憶手段に記憶された画像データから、前記表示手段の表示画素に対応する１ページの画像のうち少なくとも１行の表示画素の階調値を示すデータを生成する画像生成ステップと、
前記生成されたデータのうちあらかじめ決められた数の行に相当する対象データを、前記ページ画像記憶手段に記憶されたデータのうち前記対象データと行の位置が同一である参照データとを比較し、前記対象データと前記参照データの同一性を判断する比較ステップと、
前記対象データと前記参照データが同一ではないと判断された場合、前記参照データを前記対象データで上書きし、かつ、前記フラグを、描画を要することを示すものに書き換え、前記対象データと前記参照データが同一であると判断された場合、前記フラグを、描画を要しないことを示すものに書き換える記憶制御ステップと、
前記ページ画像記憶手段に記憶されているデータに従ってデータ線にデータ電圧を印加し、前記フラグが描画を要することを示す行に対しては前記記憶性液晶層の配向を変化させる電圧より大きい実効電圧を、前記フラグが描画を要しないことを示す行に対しては前記記憶性液晶層の配向を変化させる電圧より小さい実効電圧を、走査電極に印加する表示駆動ステップと
を有する駆動方法。
【発明の詳細な説明】
【技術分野】
【０００１】
本発明は、情報表示装置において画像を書き換える技術に関する。
【背景技術】
【０００２】
コレステリック液晶などの記憶性液晶は、電子ブックまたは電子ペーパー等の用途に適した表示体として用いられている。コレステリック液晶は、電圧を印加しない状態においても表示が可能であるという利点を有する。しかし一方で、コレステリック液晶は、書き換え速度が遅いという欠点がある。コレステリック液晶を用いた表示装置の書き換え速度を改善する技術として、特許文献１に記載された、いわゆるＤＤＳ（Dynamic Drive Scheme）駆動が知られている。ＤＤＳ駆動によれば、コレステリック液晶の配向状態はいわゆる選択期間において液晶に供給される電力により決定される。
【０００３】
【特許文献１】米国特許第５７４８２７７号明細書
【発明の開示】
【発明が解決しようとする課題】
【０００４】
ＤＤＳ駆動によれば、従来１０ｍｓｅｃ程度必要であった選択期間を１ｍｓｅｃ程度に短縮することができる。しかし、表示装置を高解像度化しようとすると、ＤＤＳ駆動によってもなお表示速度が十分でないという問題があった。例えば、２０００行の表示画素を有する表示装置においては、ＤＤＳ駆動によっても１画面の書き換えに２ｓｅｃを要する。
これに対し本発明は、記憶性液晶を有する表示装置において画面の書き換えをさらに高速化する技術を提供するものである。
【課題を解決するための手段】
【０００５】
上述の課題を解決するため、本発明は、記憶性液晶層を含む複数の表示画素を有する表示手段と、複数ページの画像を含む画像データを記憶するデータ記憶手段と、前記表示画素の各々の階調値を示すデータと、あらかじめ決められた数の行ごとに、描画の要否を示すフラグを記憶するページ画像記憶手段と、前記データ記憶手段に記憶された画像データから、前記表示手段の表示画素に対応する１ページの画像のうち少なくとも１行の表示画素の階調値を示すデータを生成する画像生成手段と、前記画像生成手段により生成されたデータのうちあらかじめ決められた数の行に相当する対象データを、前記ページ画像記憶手段に記憶されたデータのうち前記対象データと行の位置が同一である参照データとを比較し、前記対象データと前記参照データの同一性を判断する比較手段と、前記比較手段により前記対象データと前記参照データが同一ではないと判断された場合、前記参照データを前記対象データで上書きし、かつ、前記フラグを、描画を要することを示すものに書き換え、前記比較手段により前記対象データと前記参照データが同一であると判断された場合、前記フラグを、描画を要しないことを示すものに書き換える記憶制御手段と、前記ページ画像記憶手段に記憶されているデータに従ってデータ線にデータ電圧を印加し、前記フラグが描画を要することを示す行に対しては前記記憶性液晶層の配向を変化させる電圧より大きい実効電圧を、前記フラグが描画を要しないことを示す行に対しては前記記憶性液晶層の配向を変化させる電圧より小さい実効電圧を、走査電極に印加する表示駆動手段とを有する情報表示装置を提供する。
この情報表示装置によれば、画面の書き換えをさらに高速化することができる。
【０００６】
好ましい態様において、この情報表示装置は、前記比較手段が、予め決められた一致率により前記対象データと前記参照データが同一であるかを判断してもよい。
この情報表示装置によれば、対象データと参照データが完全に一致しない場合でも、一定条件のもとで同一であると判断することができる。
【０００７】
別の好ましい態様において、この情報表示装置は、対象データとデータとの一致率の値を入力する入力手段を有し、前記比較手段が、前記入力手段により入力された一致率を用いて同一性の判断を行ってもよい。
この情報表示装置によれば、同一性の判断基準をユーザが自由に設定することができる。
【０００８】
さらに別の好ましい態様において、この情報表示装置は、前記比較手段が、前記ページ画像記憶手段に記憶されたデータのうち、あらかじめ決められた行のデータに対してのみ比較を行ってもよい。
この情報表示装置によれば、処理対象となる領域が限定されるので、比較処理の負荷を低減することができる。
【０００９】
また、本発明は、記憶性液晶層を含む複数の表示画素を有する表示手段と、複数ページの画像を含む画像データを記憶するデータ記憶手段と、前記表示画素の各々の階調値を示すデータと、あらかじめ決められた数の行ごとに、描画の要否を示すフラグを記憶するページ画像記憶手段とを有する情報表示装置における前記表示手段の駆動方法であって、前記データ記憶手段に記憶された画像データから、前記表示手段の表示画素に対応する１ページの画像のうち少なくとも１行の表示画素の階調値を示すデータを生成する画像生成ステップと、前記生成されたデータのうちあらかじめ決められた数の行に相当する対象データを、前記ページ画像記憶手段に記憶されたデータのうち前記対象データと行の位置が同一である参照データとを比較し、前記対象データと前記参照データの同一性を判断する比較ステップと、前記対象データと前記参照データが同一ではないと判断された場合、前記参照データを前記対象データで上書きし、かつ、前記フラグを、描画を要することを示すものに書き換え、前記対象データと前記参照データが同一であると判断された場合、前記フラグを、描画を要しないことを示すものに書き換える記憶制御ステップと、前記ページ画像記憶手段に記憶されているデータに従ってデータ線にデータ電圧を印加し、前記フラグが描画を要することを示す行に対しては前記記憶性液晶層の配向を変化させる電圧より大きい実効電圧を、前記フラグが描画を要しないことを示す行に対しては前記記憶性液晶層の配向を変化させる電圧より小さい実効電圧を、走査電極に印加する表示駆動ステップとを有する駆動方法を提供する。
この駆動方法によれば、画面の書き換えをさらに高速化することができる。
【発明を実施するための最良の形態】
【００１０】
１．構成
図１は、本発明の一実施形態に係る情報表示装置１００の機能構成を示すブロック図である。表示部１０１は、情報（画像）を表示する。表示部１０１は、各々が記憶性液晶層を含む複数の表示画素を有する。複数の表示画素は、ｎ行の走査電極とｍ列のデータ電極（ｎおよびｍは正の整数）との交差に対応して設けられている。走査電極に走査電圧が印加され、かつデータ電極にデータ電圧が印加されると、表示画素の各々には、データ電圧および走査電圧に応じた駆動電圧が印加される。データ記憶部１０２は、表示部１０１に表示させる画像を示す画像データを記憶する。画像データは、複数ページの画像を示すデータを含む。複数ページの画像の各々は、表示部１０１の表示画素に対応する。データ取得部１０３は、データ記憶部１０２から画像データを取得する。ページ画像生成部１０４は、データ取得部１０３により取得された画像データから、１ページの画像のうち少なくとも１行の表示画素の階調値を示すデータを生成する。本実施形態において、ページ画像生成部１０４は、１ページ分（ｎ行ｍ列の表示画素）のデータを生成する。ページ画像記憶部１０５は、１ページの画像データおよび駆動フラグとを記憶する。１ページの画像データは、ｎ行ｍ列の表示画素の各々の階調値を示すデータである。駆動フラグは、あらかじめ決められた数の行（駆動単位）ごとに、描画の要否を示すデータである。
【００１１】
ページ画像比較部１０６は、対象データと参照データの同一性を判断する。対象データとは、ページ画像生成部１０４により生成されたデータのうちあらかじめ決められた数（比較単位）の行に相当するデータである。参照データとは、ページ画像記憶部１０５に記憶されたデータのうち対象データと行の位置が同一であるデータである。記憶制御部１０７は、ページ画像比較部１０６の判断結果に応じて、ページ画像記憶部１０５の記憶内容を書き換える。すなわち、対象データと参照データが同一ではないと判断された場合、記憶制御部１０７は、ページ画像記憶部１０５に記憶されたデータのうち参照データを対象データで上書きし、かつ、ページ画像記憶部１０５に記憶された駆動フラグのうち対象データに対応するフラグを、描画を要することを示すものに書き換える。また、対象データと参照データが同一であると判断された場合、記憶制御部１０７は、ページ画像記憶部１０５に記憶された駆動フラグのうち対象データに対応するものを、描画を要しないことを示すデータに書き換える。表示駆動部１０８は、ページ画像記憶部１０５に記憶されている画像データおよび駆動フラグに従って、データ電極および走査電極にデータ電圧および走査電圧を印加する。
【００１２】
図２は、情報表示装置１００のハードウェア構成を示すブロック図である。ＣＰＵ（Central Processing Unit）１１０は、情報表示装置１００の要素を制御する制御装置である。ＲＯＭ（Read Only Memory）１２０は、情報表示装置１００の動作に必要なプログラムやデータを記憶した記憶装置である。ＲＡＭ（Random Access Memory）１３０は、ＣＰＵ１１０がプログラムを実行する際の作業エリアとして機能する記憶装置である。ＶＲＡＭ（Video Random Access Memory）１３１は、表示装置１５１に表示させる画像を記憶する記憶装置である。Ｉ／Ｏ（Input/Output）１４０は、入出力インターフェースである。キーボタン１４１は、ユーザの操作に応じた信号をＩ／Ｏ１４０に出力する。
【００１３】
表示制御部１５０は、ＶＲＡＭ１３１に記憶された画像データに従って表示装置１５１を駆動する。表示装置１５１は、コレステリック液晶などの記憶性液晶層を有する表示装置である。電源制御部１６０は、バッテリー１６１からの電力の供給を制御する制御装置である。バッテリー１６１は、Ｎｉ−Ｃｄ系電池、Ｌｉイオン系電池などの２次電池である。通信制御部１７０は、通信用ＩＦ（Interface）１７１を介した他の機器との通信を制御する制御装置である。通信用ＩＦ１７１は、ＵＳＢ（Universal Serial Bus）、Blue Tooth（登録商標）、無線ＬＡＮ（Local Area Network）などの規格に準拠した通信を行うインターフェースである。記憶装置制御部１８０は、内蔵記憶装置１８１およびリムーバブルメディア１８３を制御する制御装置である。内蔵記憶装置１８１は、フラッシュメモリ等の書き換え可能な不揮発性の記憶装置である。リムーバブルメディア１８３は、メモリＩＦ１８２を介して情報表示装置１００に接続された、着脱可能な記憶装置である。リムーバブルメディア１８３は、例えば、ＳＤ（登録商標）メモリカードまたはメモリースティック（登録商標）である。以上の要素は、バス１９０を介して接続されている。ＣＰＵ１１０がＲＯＭ１２０に記憶された制御プログラムを実行することにより、情報表示装置１００は、図１に示される機能構成を有する。
【００１４】
図３は、表示装置１５１の構成を示す図である。表示装置１５１は、ｎ行の走査電極（Ｙ１、Ｙ２、…、Ｙｎ）およびｍ列のデータ電極（Ｘ１、Ｘ２、…、Ｘｍ）を含むｎ×ｍマトリクス配線を有する。なお、ｎおよびｍは正の整数である。また、本実施形態において、表示装置１５１はいわゆるパッシブマトリクス式の表示装置であるので、走査電極およびデータ電極がそれぞれ走査線およびデータ線の機能も兼ねる。走査電極およびデータ電極の交点には、電気光学素子１５１１が形成されている。電気光学素子１５１１は、２枚の電極（データ電極（画素電極またはセグメント電極ということもある）および走査電極（共通電極またはコモン電極ということもある）、いずれも図示略）、これら２枚の電極間に封止された電気光学層を有する。本実施形態において、電気光学層として、記憶性液晶であるコレステリック液晶を含む液晶層が用いられる。記憶性液晶とは、電力を供給しなくても表示を維持できる液晶をいう。電気光学素子１５１１には、対応する走査電極に印加される電圧（以下「走査電圧」という）および対応するデータ電極に印加される電圧（以下「データ電圧」という）に応じた電圧が印加される。電気光学層に印加される電圧を「駆動電圧」という。電気光学層の光学的性質（施光性、光散乱性など）は、印加される電圧によって変化する。電気光学素子１５１１は、液晶の光学的性質の変化によって画像を形成するものである。なお、基本的に一の電気光学素子１５１１は、一の画素に対応する。ＲＧＢ表色系でカラー表示を行うカラーディスプレイの場合、一の電気光学素子１５１１は、ある画素のうち、ＲＧＢの色成分のうちいずれか一の色成分に対応する。
【００１５】
図４は、コレステリック液晶の配向を示す図である。本実施形態において、電気光学素子１５１１は、２枚の透明電極（透明電極１５１１４および１５１１５）の間に挟まれたコレステリック液晶層１５１１１を有する。さらに、コレステリック液晶層１５１１１、透明電極１５１１４および１５１１５は、２枚のガラス基板（ガラス基板１５１１２および１５１１３）の間に挟まれている。ガラス基板１５１１３の下には光吸収層１５１１６が設けられている。
【００１６】
コレステリック液晶層１５１１１による光の反射率は、コレステリック液晶分子の配向状態によって変化する。図４（ａ）は、プレーナ配向（以下「Ｐ配向」という）を示す図である。Ｐ配向状態では、入射光は反射される。すなわち、白が表示される。図４（ｂ）は、フォーカルコニック配向（以下「Ｆ配向」という）を示す図である。Ｆ配向状態では、入射光はほぼ透過される。透過光は光吸収層１５１１６により吸収されるため、黒が表示される。このように、コレステリック液晶層１５１１１の配向状態を制御することにより、白、黒、または中間階調を表示することができる。コレステリック液晶は双安定性の材料であり、電圧を印加しない状態でもＰ配向またはＦ配向を維持することができる。すなわち、電圧を印加しない状態でも表示が維持される。Ｐ配向とＦ配向を切り換えるには、コレステリック液晶層１５１１１を一旦ホメオトロピック配向（以下「Ｈ配向」という）にする必要がある。図４（ｃ）は、Ｈ配向を示す図である。Ｈ配向は、コレステリック液晶分子のらせん構造が崩れた状態に相当する。このとき、入射光は透過される。Ｈ配向は安定状態ではないため、電圧が印加されている状態でのみ存在する。
【００１７】
２．ＤＤＳ駆動
次に、ＤＤＳ駆動について概説する。
図５は、ＤＤＳ駆動を説明する図である。ＤＤＳ駆動において、電気光学素子１５１１に印加される電圧パターンは、非選択期間（Non-selection phase）、リセット期間（Preparation phase）、選択期間（Selection phase）および保持期間（Evolution phase）の４つの期間に区分される。走査電極Ｙ１〜Ｙｎに対応する画素に対して、１ラインずつ順番に選択期間が割り当てられる。ＤＤＳ駆動によれば、コレステリック液晶層１５１１１の配向状態は選択期間およびその後の保持期間により決定される。ＤＤＳ駆動が開発される以前は、コレステリック液晶層の配向状態は選択期間のみによって決定されていた（以下この駆動方法を「コンベンショナル駆動」という）。コンベンショナル駆動によれば、選択期間として、例えば５０ｍｓｅｃ程度の時間が必要であった。そのため例えば２０００ラインの画素を書き換えるには、１００ｓｅｃ程度の時間が必要であった。ＤＤＳ駆動によれば選択期間は１ｍｓｅｃ程度に短縮されるため、２０００ラインの画素を書き換えるのに必要な時間も２ｓｅｃ程度に短縮される。
【００１８】
図６は、ＤＤＳ駆動におけるコレステリック液晶の配向遷移を示す図である。リセット期間において、Ｐ配向またはＦ配向の液晶をＨ配向にさせる電圧が印加される。次に選択期間において、要求される表示状態（２階調であれば白または黒、すなわちＰ配向またはＦ配向）を選択するための電圧（以下「選択電圧」という。すなわち選択電圧とは、特に選択期間における駆動電圧をいう）が印加される。本実施形態において、選択電圧によりコレステリック液晶層はＨ配向または過渡プレーナ配向（以下「ＴＰ配向」という）に遷移される。ＴＰ配向は、液晶分子のらせん構造が若干弛緩した、Ｈ配向とＰ配向の中間的な状態である。次に、保持期間において、要求される表示状態を保持するための電圧（以下「保持電圧」という）が印加される。選択電圧によりＨ配向になった液晶層は、Ｈ配向が維持される。選択電圧によりＴＰ配向になった液晶層は、Ｆ配向（黒表示）に遷移される。次に、非選択期間において、電圧が消去される（厳密には電圧はゼロにはならないこともある）。保持電圧によりＨ配向になっていた液晶層は、Ｐ配向（白表示）に遷移される。
【００１９】
図７は、ＤＤＳ駆動における駆動電圧波形を例示する図である。図７に示されるように、非選択期間、リセット期間、選択期間および保持期間の各期間において、それぞれ少なくとも２種類の電圧値を含む電圧パターンが、走査電極およびデータ電極に印加される。非選択期間、リセット期間、選択期間および保持期間の各期間において走査電極に印加される電圧を、それぞれ、ＶＮ、ＶＰ、ＶＳおよびＶＥと表す。例えば非選択期間において印加される２種類の電圧は、ＶＮ１およびＶＮ２のように添字を用いて区別する。添字は、電圧の絶対値の低いものから順に小さい数字が割り当てられる。他の期間においても同様である。図７は、ＶＰ１＝０Ｖ、ＶＰ２＝５６Ｖ、ＶＳ１＝０Ｖ、ＶＳ２＝１８Ｖ、ＶＳ３＝３８Ｖ、ＶＳ４＝５６Ｖ、ＶＥ１＝１８Ｖ、ＶＥ２＝３８Ｖ、ＶＮ１＝９ＶおよびＶＮ２＝４７Ｖである例を示している。また、この例では、データ電極にはＶＳＥＧ１〜ＶＳＥＧ４の４種類の電圧値を含む電圧パターンが印加される。図７の例では、ＶＳＥＧ１＝０Ｖ、ＶＳＥＧ２＝１８Ｖ、ＶＳＥＧ３＝３８ＶおよびＶＳＥＧ４＝５６Ｖである。図７に示されるように、ＤＤＳ駆動においては、選択期間以外の期間では、データ電極の電圧パターンが白に相当するものでも黒に相当するものでも、電気光学素子に印加される実効電圧は同一である。選択期間においてのみ、表示させたい階調値に応じて電気光学素子に印加される実効電圧が異なっている。ＤＤＳ駆動においては、選択期間に印加される実効電圧により、液晶の配向が決定される。なお、図７に示される波形および電圧値はあくまで例示であり、駆動波形および電圧値はこれに限定されない。選択期間においてのみ、表示させたい階調値に応じて電気光学素子に印加される実効電圧を異ならせることができる波形であれば、どのような駆動波形が用いられてもよい。また、電圧値は、コレステリック液晶層１５１１１の厚さなどに応じて定められてもよい。
【００２０】
３．動作
図８は、情報表示装置１００の動作を示すフローチャートである。図８に示されるフローは、例えば、ユーザがキーボタン１４１を操作したことを契機として開始される。なお、図８に示されるフローを開始する契機となるイベントはこれに限られずどのようなものでもよい。ステップＳ１００において、ＣＰＵ１１０は、内蔵記憶装置１８１から画像データを読み出す。ＣＰＵ１１０は、読み出した画像データをＲＡＭ１３０に記憶する。ステップＳ１１０において、ＣＰＵ１１０は、１ページの画像（以下「ページ画像」という）を生成する。ステップＳ１２０において、ＣＰＵ１１０は、すべての行についてデータ（以下、１行分の画像データを「ラインデータ」という）が確定したか判断する。すべての行についてラインデータが確定していないと判断された場合（Ｓ１２０：ＮＯ）、ＣＰＵ１１０は、ステップＳ１１０の処理を再び実行する。すべての行についてデータが確定したと判断された場合（Ｓ１２０：ＹＥＳ）、ＣＰＵ１１０は、処理をステップＳ１３０に移行する。ステップＳ１３０において、ＣＰＵ１１０は、生成されたページ画像のうち、処理対象となる行を特定する。処理対象となった行の画像データを、「対象ラインデータ」という。さらに、ＣＰＵ１１０は、ＶＲＡＭ１３１に記憶された画像データから、対象ラインデータに対応するラインデータ、すなわち、対象ラインデータと同一の行番号を有するラインデータを読み出す。以下このラインデータを、「参照ラインデータ」という。ＣＰＵ１１０は、読み出したデータをＲＡＭ１３０に記憶する。
【００２１】
図９は、ＶＲＡＭ１３１の構成を示す図である。ＶＲＡＭ１３１は、行ごとに、画像データ（ラインデータ）と、その行の駆動フラグを記憶する。
図１０は、ＶＲＡＭ１３１に記憶されたデータを例示する図である。図１０に示される例によれば、第１、２、４およびｎ行については描画（駆動）され、第３および５行については描画されない。なお、ＶＲＡＭ１３１には、前回画面の書き換えを行ったときに用いたデータが記憶されている。
【００２２】
再び図８を参照して説明する。ステップＳ１３０において、ＣＰＵ１１０は、ＶＲＡＭ１３１に記憶された画像データのうち、処理対象となる１行のデータを特定する。処理対象となる行は、例えば、番号の若いものから順番に１行ずつ特定される。
【００２３】
ステップＳ１４０において、ＣＰＵ１１０は、対象ラインデータと参照ラインデータとを比較し、その同一性を判断する。本実施形態において、ＣＰＵ１１０は、対象ラインデータと参照ラインデータとが完全に一致した場合に同一性があると判断する。対象ラインデータと参照ラインデータとが同一であると判断された場合（ステップＳ１４０：ＹＥＳ）、ＣＰＵ１１０は、処理をステップＳ１７０に移行する。対象ラインデータと参照ラインデータとが同一でないと判断された場合（ステップＳ１４０：ＮＯ）、ＣＰＵ１１０は、処理をステップＳ１５０に移行する。
【００２４】
ステップＳ１５０において、ＣＰＵ１１０は、ＶＲＡＭ１３１において、参照ラインデータを対象ラインデータで上書きする。すなわち、ＶＲＡＭ１３１に記憶されている画像データ（前回画面を書き換えたときのデータ）と、今回書き換えようとする画面のデータとが相違する部分については、ＶＲＡＭ１３１の内容が書き換えられる。続いて、ステップＳ１６０において、ＣＰＵ１１０は、書き換えられた参照ラインデータに対応する駆動フラグの値を「１」に書き換える。ここで、駆動フラグが「１」のときは書き換えが必要であることを、「０」のときは書き換えが必要でないことを示している。
【００２５】
ステップＳ１７０において、ＣＰＵ１１０は、参照ラインデータに対応する駆動フラグの値を「０」に書き換える。すなわち、ＶＲＡＭ１３１に記憶されている画像データと、今回書き換えようとする画面のデータとが同一である部分については、ＶＲＡＭ１３１の内容は書き換えられない。
【００２６】
ステップＳ１８０において、ＣＰＵ１１０は、全ての行について処理が完了したか判断する。全ての行について処理が完了していないと判断された場合（ステップＳ１８０：ＮＯ）、ＣＰＵ１１０は、Ｓ１１０〜Ｓ１７０の処理を繰り返し実行する。全ての行について処理が完了したと判断された場合（ステップＳ１８０：ＹＥＳ）、ＣＰＵ１１０は、処理をステップＳ１９０に移行する。
【００２７】
ステップＳ１９０において、ＣＰＵ１１０は、表示制御部１５０に、表示装置１５１を書き換えさせる。すなわち、表示制御部１５０は表示装置１５１を駆動する。
【００２８】
図１１は、本実施形態に係る駆動方法を説明する図である。図１１においては、図面が煩雑になるのを避けるため、Ｙ１〜Ｙ８の８つの走査電極に対する駆動方法が図示されている。Ｙ１〜Ｙ８のライン番号の右側に記載されているのは駆動フラグの値である。駆動フラグが「１」であるラインに対応する走査電極については、従来と同様に選択電圧が印加されるが、駆動フラグが「０」であるラインに対応する走査電極については、選択電圧は印加されない。
【００２９】
図１２は、本実施形態による画面書き換えの様子を例示する図である。図１２の左側に示されているのが、前ページすなわち前回書き換えを行ったときに描画された画像である。図１２の右側に示されているのが、次ページすなわち今回描画しようとする画像である。図１２においてハッチングが施されている領域は、前ページと次ページとで画像が共通している領域である。すなわち、この領域において、駆動フラグは「０」であり、選択電圧の印加は行われない。一方ハッチングが施されていない領域（駆動領域）は、前ページと次ページとで画像が異なっている領域である。すなわち、この領域において、駆動フラグは「１」であり、選択電圧の印加が行われる。駆動領域については画面の書き換えが行われる。なお、駆動フラグが「０」であるラインについて、全期間を非選択期間とする駆動を行ってもよい。
【００３０】
以上で説明したように本実施形態によれば、書き換え前の画像と書き換え後の画像が比較され、その異なっている部分に対応する走査電極に対してのみ表示装置１５１が駆動される。したがって、表示装置１５１の全領域を書き換えるすなわち駆動する場合と比較して、書き換えに要する時間を短縮することができる。複数ページの画像からなる文書においては、そのヘッダ部分、フッタ部分などが各ページで共通していることが多いので、このような文書に対して本発明は特に有効である。
【００３１】
４．他の実施形態
本発明は上述の実施形態に限定されるものではなく、種々の変形実施が可能である。
上述の実施形態において、ＶＲＡＭ１３１は、各ラインデータに対して個別の駆動フラグを有していた。しかし、ＶＲＡＭ１３１は、必ずしもすべてのラインデータに対して個別のフラグを有していなくてもよい。ＶＲＡＭ１３１は、あらかじめ決められた数のラインデータに対して１つの駆動フラグを有していてもよい。すなわち、対象ラインデータと参照ラインデータの比較が行われる単位は１ラインでなくてもよい。例えば、２ラインまたは３ラインなどの複数のラインが比較単位として用いられてもよい。さらに、比較単位は画像の位置に応じて変化してもよい。例えば、画像の上部および下部については比較単位が小さく、画像の中央部については比較単位が大きくてもよい。あるいは、その逆でもよい。
【００３２】
上述の実施形態において、１ライン毎に比較が行われ、１ライン毎に駆動フラグが設定された。すなわち、比較処理が行われる単位と、駆動フラグが設定される単位は同一であった。しかし、駆動単位と比較単位とは必ずしも同一でなくてもよい。
【００３３】
上述の実施形態において、比較単位は固定されていた。しかし、情報表示装置１００は、ユーザが比較単位を入力するためのユーザインターフェースを有してもよい。ＣＰＵ１１０は、そのユーザインターフェースを介して入力された比較単位を用いて上述の処理を行ってもよい。あるいは、ＣＰＵ１１０は、画像の属性情報（例えば、解像度）に応じて、自動的に比較単位を決定してもよい。
【００３４】
上述の実施形態において、ＣＰＵ１１０は、対象ラインデータと参照ラインデータとが完全に一致する場合に、対象ラインデータと参照ラインデータとが同一であると判断した。しかし、同一性の判断基準はこれに限定されない。ＣＰＵ１１０は、対象ラインデータと参照ラインデータとの一致率（一致しているビットの数）に基づいて同一性の判断を行ってもよい。ＣＰＵ１１０は、一致率があるしきい値（例えば９９％）以上であった場合には対象ラインデータと参照ラインデータとが同一であると判断してもよい。さらに、情報表示装置１００は、ユーザが一致率のしきい値を入力するためのユーザインターフェースを有してもよい。ＣＰＵ１１０は、そのユーザインターフェースを介して入力されたしきい値を用いて上述の処理を行ってもよい。
【００３５】
上述の実施形態において、表示装置１５１のｎ行ｍ列の表示画素のすべてが比較処理の対象となっていた。しかし、ＣＰＵ１１０は、表示装置１５１のｎ行ｍ列の表示画素のうち一部のみを比較処理の対象としてもよい。例えば、表示画素のうち、表示装置１５１の上部または下部の一定数のラインについてのみ、比較処理が行われてもよい。
【図面の簡単な説明】
【００３６】
【図１】一実施形態に係る情報表示装置１００の機能構成を示すブロック図である。
【図２】情報表示装置１００のハードウェア構成を示すブロック図である。
【図３】表示装置１５１の構成を示す図である。
【図４】コレステリック液晶の配向を示す図である。
【図５】ＤＤＳ駆動を説明する図である。
【図６】ＤＤＳ駆動におけるコレステリック液晶の配向遷移を示す図である。
【図７】ＤＤＳ駆動における駆動電圧波形を例示する図である。
【図８】情報表示装置１００の動作を示すフローチャートである。
【図９】ＶＲＡＭ１３１の構成を示す図である。
【図１０】ＶＲＡＭ１３１に記憶されたデータを例示する図である。
【図１１】本実施形態に係る駆動方法を説明する図である。
【図１２】本実施形態による画面書き換えの様子を例示する図である。
【符号の説明】
【００３７】
１００…情報表示装置、１０１…表示部、１０２…データ記憶部、１０３…データ取得部、１０４…ページ画像生成部、１０５…ページ画像記憶部、１０６…ページ画像比較部、１０７…記憶制御部、１０８…表示駆動部、１１０…ＣＰＵ、１２０…ＲＯＭ、１３０…ＲＡＭ、１３１…ＶＲＡＭ、１４０…Ｉ／Ｏ、１４１…キーボタン、１５０…表示制御部、１５１…表示装置、１６０…電源制御部、１６１…バッテリー、１７０…通信制御部、１７１…通信用ＩＦ、１８０…記憶装置制御部、１８１…内蔵記憶装置、１８２…メモリＩＦ、１８３…リムーバブルメディア、１９０…バス、１５１１…電気光学素子、１５１１１…コレステリック液晶層、１５１１２…ガラス基板、１５１１３…ガラス基板、１５１１４…透明電極、１５１１５…透明電極、１５１１６…光吸収層
【図１】
2008122688.tif 000003
【図２】
2008122688.tif 000004
【図３】
2008122688.tif 000005
【図４】
2008122688.tif 000006
【図５】
2008122688.tif 000007
【図６】
2008122688.tif 000008
【図７】
2008122688.tif 000009
【図８】
2008122688.tif 000010
【図９】
2008122688.tif 000011
【図１０】
2008122688.tif 000012
【図１１】
2008122688.tif 000013
【図１２】
2008122688.tif 000014